(57)【要約】【課題】採取具が不用意に取り外されてしまうといった誤操作の発生を未然に防止することができ、かつ、操作性の向上が図られた成分測定装置を提供する。【解決手段】血糖値測定装置１００は、把持可能に構成された筐体１０と、筐体に設置され、体液を収容する採取具６０が着脱可能に装着される円筒部１４０と、筐体にスライド移動可能に取り付けられ、スライド移動に伴い円筒部から採取具を離脱させるイジェクト部材７０と、を有しており、イジェクト部材に設けられたイジェクト操作部７１が、筐体の外面に形成された溝部４１内において当該溝部の一端４１ａとの間に隙間ｇを隔てた状態で、一端４１ａから離反する方向へスライド移動可能に設置されている。【選択図】図９
2015064276.tif 000002
【特許請求の範囲】
【請求項１】
体液に含まれる所定成分を測定する成分測定装置であって、
把持可能に構成された筐体と、
前記筐体に設置され、体液を収容する採取具が着脱可能に装着される採取具装着部と、
前記筐体にスライド移動可能に取り付けられ、スライド移動に伴い前記採取具装着部に装着された前記採取具を押し出して前記採取具装着部から離脱させるイジェクト部材と、を有しており、
前記イジェクト部材には、当該イジェクト部材の前記スライド移動を前記筐体の外部において操作可能にするためのイジェクト操作部が設けられており、
前記筐体の外面には、前記イジェクト操作部が収容される凹状の溝部が設けられており、
前記イジェクト操作部は、前記溝部内において当該溝部の一端との間に隙間を隔てた状態で前記一端から離反する方向へスライド移動可能に設置されている、成分測定装置。
【請求項２】
前記筐体の外面のうち一の面には、測定結果を外部に視認可能にするための窓部が設けられており、
前記溝部は、前記筐体の外面のうち、前記一の面と相対して配置される他の面側に設けられている、請求項１に記載の成分測定装置。
【請求項３】
前記筐体に着脱可能に装着されるとともに、前記イジェクト部材のスライド移動に伴い前記筐体から離脱されるキャップ部材をさらに有する、請求項１または請求項２に記載の成分測定装置。
【発明の詳細な説明】
【技術分野】
【０００１】
本発明は、体液中の所定成分を測定する成分測定装置に関する。
【背景技術】
【０００２】
従来から、血液や尿等の体液中の生体成分を検出して、その成分量や性質等を測定する成分測定装置が広く知られている。
【０００３】
例えば、特許文献１には、被検者から採取した血液の血糖値を計測する成分測定装置が開示されている。この成分測定装置では、使用に際して、筐体の先端部にセンサユニット（採取具）が装着される。次いで、採取具内に流入させた血液の血糖値を所定の測定端子により測定し、筐体に設置された表示部において測定結果を表示させる。測定が終了した後、筐体の外面に突設されたスライダーを指でスライド移動させることにより、筐体から採取具を離脱させることが可能になっている。
【先行技術文献】
【特許文献】
【０００４】
【特許文献１】特開２００５−４３１１６号公報
【発明の概要】
【発明が解決しようとする課題】
【０００５】
上記のように採取具を筐体から離脱させるための機構として、スライダーのような部材を採用することにより、筐体から採取具を取り外す作業を比較的容易に行うことが可能な装置として構成することができる。
【０００６】
しかしながら、従来技術に係る成分測定装置においては、スライダーが筐体の外面から突出するように設置されているため、使用者が使用する際に手指等が誤ってスライダーに触れてしまうことがあり、採取具が不用意に取り外されてしまうといった誤操作が行われる可能性がある。また、このような課題に対して、例えば、スライダーを筐体の外面から突出させずに設置するといった対策を講じ得るが、単純に、スライダーを筐体の外面から突出しないように設置しただけでは指先の感覚でスライダーの位置が把握しづらくなる上に、スライド操作を行う際にスライダーに手指を掛けることができなくなるため、使い勝手が悪いものとなってしまう。特に、高齢者や目の不自由な人にとっては、操作性の低下が顕著なものとなる。
【０００７】
そこで、本発明の目的は、採取具が不用意に取り外されてしまうといった誤操作の発生を未然に防止することができ、かつ、操作性の向上が図られた成分測定装置を提供することを目的とする。
【課題を解決するための手段】
【０００８】
上記目的を達成するための本発明の成分測定装置は、体液に含まれる所定成分を測定する成分測定装置であって、把持可能に構成された筐体と、前記筐体に設置され、体液を収容する採取具が着脱可能に装着される採取具装着部と、前記筐体にスライド移動可能に取り付けられ、スライド移動に伴い前記採取具装着部に装着された前記採取具を押し出して前記採取具装着部から離脱させるイジェクト部材と、を有しており、前記イジェクト部材には、当該イジェクト部材の前記スライド移動を前記筐体の外部において操作可能にするためのイジェクト操作部が設けられており、前記筐体の外面には、前記イジェクト操作部が収容される凹状の溝部が設けられており、前記イジェクト操作部は、前記溝部内において当該溝部の一端との間に隙間を隔てた状態で、前記一端から離反する方向へスライド移動可能に設置されている、成分測定装置。
【発明の効果】
【０００９】
本発明の成分測定装置によれば、イジェクト部材をスライド移動させるためのイジェクト操作部が筐体の外面に形成された凹状の溝部内に収容されているため、筐体の外面にイジェクト操作部が突出して設置されない。このため、イジェクト操作部に手指等が誤って触れてしまうことに起因する誤操作の発生を未然に防止することが可能になる。また、イジェクト操作部が凹状の溝部内において当該溝部の一端と隙間を隔てて配置されているため、この溝部の一端に手指を掛けることができる。このため、採取具を離脱させる操作を行う際に指先の感覚でイジェクト操作部の位置を容易に把握することが可能になるとともに、筐体に手指を掛けながら離脱させる操作を行うことが可能になるため、使用時の操作性が向上する。
【００１０】
また、筐体の外面において窓部が設けられた面と相対する面に溝部が配置されるようにすれば、操作性の向上を図りつつ、窓部の面積を大きく確保することができる。これに加えて、窓部が設けられた面側から筐体を把持する際に誤って手指がイジェクト操作部に触れてしまうことを好適に防止することができるため、より一層使い勝手のよい成分測定装置を提供することが可能になる。
【００１１】
また、筐体に着脱可能に装着されるとともに、イジェクト部材のスライド移動に伴い筐体から離脱されるキャップ部材を有するように構成すれば、採取具を離脱させるための機構およびキャップ部材を取り外すための機構としてイジェクト部材を共用化することができ、部品点数の削減とともに装置の製造コストの削減を図ることができる。
【図面の簡単な説明】
【００１２】
【図１】本発明の実施形態に係る成分測定装置の外観斜視図である。
【図２】図２は、実施形態に係る成分測定装置の各部の外観を示す図であって、（Ａ）は、成分測定装置の平面図、（Ｂ）は、成分測定装置の底面図である。
【図３】図３は、実施形態に係る成分測定装置の各部の外観を示す図であって、（Ａ）は、成分測定装置の左側面図、（Ｂ）は、成分測定装置の右側面図である。
【図４】図４は、成分測定装置の内部構造を示す断面図であって、（Ａ）は、筐体の長手方向に沿う概略断面図、（Ｂ）は、成分測定装置の内部に設置された光路ブロックの断面図である。
【図５】成分測定装置の筐体からキャップ部材が取り外される様子を示す図である。
【図６】成分測定装置の筐体に採取具が取り付けられた様子を示す斜視図である。
【図７】図７は、採取具とイジェクト部材の構成を説明するための図であって、（Ａ）は、採取具およびイジェクト部材が組み付けられた筐体の一部を拡大して示す断面図、（Ｂ）は、採取具およびイジェクト部材を示す斜視図である。
【図８】図８は、実施形態に係る成分測定装置の作用を説明するための図であって、（Ａ）は、キャップ部材が取り付けられた状態の成分測定装置の先端部の断面を拡大して示す拡大断面図、（Ｂ）は、筐体からキャップ部材が取り外された際の成分測定装置の先端部の断面を拡大して示す拡大断面図である。
【図９】図９は、実施形態に係る成分測定装置の作用を説明するための図であって、（Ａ）は、採取具が装着された状態の成分測定装置の先端部の断面を拡大して示す拡大断面図、（Ｂ）は、筐体から採取具が取り外された際の成分測定装置の先端部の断面を拡大して示す拡大断面図である。
【発明を実施するための形態】
【００１３】
以下、図面を参照して、本発明の実施の形態を説明する。なお、図面の寸法比率は、説明の都合上誇張されており、実際の比率とは異なる場合がある。
【００１４】
図１〜図７は、実施形態に係る成分測定装置の各部の構成の説明に供する図である。具体的には、図１〜図３には、成分測定装置の外観が示されており、図４には、成分測定装置の内部構成を説明するための断面図が示されており、図５〜図７には、成分測定装置の各操作および各構成を説明するための図が示されている。また、図８、図９には、実施形態に係る成分測定装置の作用の説明に供する断面図が示されている。なお、図中に付されたＸ軸は、成分測定装置の長手方向を示し、Ｙ軸は、成分測定装置の短手方向を示し、Ｚ軸は、成分測定装置の厚み方向を示している。
【００１５】
本実施形態においては、血液中のグルコース濃度（血糖値）を測定する血糖値測定装置に適用した例を通じて本発明に係る成分測定装置を説明するが、本発明に係る成分測定装置は、生体の体液中の所定成分を測定することを目的とする各種の装置に適用することが可能であり、その適用対象が血糖値測定装置のみに限定されることはない。
【００１６】
図１、図９（Ａ）、図９（Ｂ）に示すように、概説すれば、本実施形態に係る血糖値測定装置１００は、把持可能に構成された筐体１０と、筐体１０に設置され、体液を収容する採取具（チップ）６０が着脱可能に装着される円筒部１４０（「採取具装着部」に相当する）と、筐体１０にスライド移動可能に取り付けられ、スライド移動に伴い円筒部１４０に装着された採取具６０を押し出して円筒部１４０から離脱させるイジェクト部材７０と、を有している。また、図２（Ｂ）、図７（Ｂ）に示すように、イジェクト部材７０には、当該イジェクト部材７０のスライド移動を筐体１０の外部において操作可能にするためのイジェクト操作部７１が設けられており、筐体１０の外面には、イジェクト操作部７１が収容される凹状の溝部４１が設けられている。そして、図２（Ｂ）、図５に示すように、イジェクト操作部７１は、溝部４１内において当該溝部４１の一端４１ａとの間に隙間ｇを隔てた状態で、一端４１ａから離反する方向（図２（Ｂ）、図５の左方向）へスライド移動可能に設置されている。なお、各図において、イジェクト部材７０およびイジェクト操作部７１のスライド移動を矢印ｓで示している。
【００１７】
まず、血糖値測定装置の全体構成を説明する。
【００１８】
血糖値測定装置１００は、使用者（医師、看護師、糖尿病患者、その他の測定を実施する者）が、生体に形成された穿刺部位から滲出した血液を採取して血糖値を測定することを可能にする医療装置として構成されている。
【００１９】
図１に示すように、血糖値測定装置１００は、筐体１０と、筐体１０に着脱可能なキャップ部材８０と、を有している。
【００２０】
筐体１０は、当該筐体１０の上面（一の面）２３を構成する第１ケース部材３０と、当該筐体１０の底面（他の面）２５を構成する第２ケース部材４０と、を有している。
【００２１】
各ケース部材３０、４０は、Ｚ軸方向に重ね合わせた状態で、例えば、嵌合や接着等の公知の方法により相互に固定される。図４（Ａ）に示すように、第１ケース部材３０と第２ケース部材４０との間には、各種の構成部材が収容および保持される内部空間５０が区画される。
【００２２】
各ケース部材３０、４０を構成する材料としては、例えば、硬質のプラスチック材料などを使用することができる。
【００２３】
図１、図２（Ａ）、図３（Ａ）に示すように、第１ケース部材３０は全体的に丸みを帯びた外形形状で形成されている。具体的には、上面２３側に向けて緩やかに凸状に湾曲した形状を有しており、外周縁部は湾曲した形状となるように面取りされている。
【００２４】
第１ケース部材３０には、後述するディスプレイパネル９２に表示された測定結果を外部に視認可能にするための窓部３１と、血糖値測定装置１００の電源をＯＮ／ＯＦＦするための電源スイッチ３２やディスプレイパネル９２の表示内容を切り替えたり、血糖値測定装置１００の動作状態を切り替えたりするための各種の操作スイッチ３３が配置されるスイッチ保持部３４と、所定の紐３５などが取り付け可能なストラップ部３６と、が形成されている。
【００２５】
窓部３１は、例えば、筐体１０の内部に配置されたディスプレイパネル９２（図４（Ａ）を参照）の表示内容が視認可能となるような透明な材料で構成される。スイッチ保持部３４は、各スイッチ３２、３３を押圧自在に収容する穴によって構成される。
【００２６】
図１、図２（Ｂ）、図３（Ｂ）に示すように、第２ケース部材４０は全体的に丸みを帯びた外形形状で形成されている。具体的には、底面２５側に向けて凸状に湾曲した形状を有しており、外周縁部は湾曲した形状となるように面取りされている。
【００２７】
図２（Ｂ）に示すように、第２ケース部材４０の底面２５には、イジェクト部材７０のイジェクト操作部７１が収容される凹状の溝部４１が形成されている。この溝部４１は、第２ケース部材４０の短手方向の略中心位置、かつ、第２ケース部材４０の長手方向の先端部側に臨むような位置に形成されている。図示例においては、溝部４１は、一端４１ａ側（基端部側）が略円形に形成され、他端４１ｂ側（先端部側）が第２ケース部材４０の先端部側に開口した形状に形成されている。なお、溝部４１の形状は、イジェクト操作部７１を筐体１０の外面から突出しないように収容可能な形状である限りにおいて変更することができ、イジェクト操作部７１の形状や寸法等に応じて適宜変更することが可能である。
【００２８】
また、図２（Ｂ）、図３（Ｂ）に示すように、第２ケース部材４０には、所定の弾性部材１４４からなる滑り止め４３と、筐体１０の内部から発せられる音声等を外部で聞き取り易くするための通孔４４と、出力電源となる電池を収容する電池収容部５１を覆うスライド式の開閉蓋４５と、側面の長手方向に沿って所定の長さで延在するリブ４６と、が形成されている。
【００２９】
第２ケース部材４０に形成されたリブ４６は、手指を引っ掛けることが可能な指掛け部としての機能を有している。血糖値測定装置１００のように筐体１０の外形形状が丸みを帯びた形状に形成されているような場合においても、リブ４６が設けられているため、把持した際に手指から血糖値測定装置１００が滑り落ちてしまうことを好適に防止することができる。
【００３０】
図１に示すように、キャップ部材８０は、先端部が丸みを帯びるように湾曲した形状に形成されている。キャップ部材８０の基端部には開口部８１が形成されている（図８（Ｂ）を参照）。後述するように、この開口部８１の内周面を筐体１０の先端部に設置された支持ブロック１３０に対して嵌合させることにより、キャップ部材８０を筐体１０に対して着脱自在に取り付けることが可能になっている。また、実施形態に係る血糖値測定装置１００においては、筐体１０からキャップ部材８０を取り外す作業は、イジェクト部材７０のスライド操作によって行うことが可能になっている（図５、図８（Ｂ）を参照）。
【００３１】
血糖値測定装置１００においては、図１に示す電源スイッチ３２を操作することにより当該装置の電源のＯＮ／ＯＦＦを切り替える構成としているが、例えば、磁力などにより電源をＯＮ／ＯＦＦする非接触式のスイッチをキャップ部材８０に搭載させることにより、筐体１０からのキャップ部材８０の着脱に応じて装置の電源がＯＮ／ＯＦＦされるような構成とすることも可能である。
【００３２】
図２（Ｂ）、図３（Ａ）に示すように、キャップ部材８０には、所定の紐３５などが取り付け可能なストラップ部８６と、当該キャップ部材８０の基端部の所定位置に設けられた突起８７が形成されている。
【００３３】
キャップ部材８０のストラップ部８６に紐３５などの部材を取り付け、さらに、この紐３５を第１ケース部材３０のストラップ部３６に取り付けることにより、キャップ部材８０と筐体１０とを紐３５を介して接続することができる。両部材を紐３５で接続することにより、筐体１０からキャップ部材８０を取り外した後にキャップ部材８０の紛失等が生じることを防止することが可能になる。また、キャップ部材８０に設けられた突起８７は、イジェクト部材７０を使用せずに当該キャップ部材８０を筐体１０から取り外す際などに、当該キャップ部材８０を把持し易くするための指掛け部として機能する。
【００３４】
次に、血糖値測定装置の内部構成について説明する。
【００３５】
図４（Ａ）に示すように、第１ケース部材３０と第２ケース部材４０との間に区画された内部空間５０には、血糖値測定装置１００の各部の動作を統轄的に制御する制御部としての機能を備える制御回路９１と、測定結果や各種の情報を表示するディスプレイパネル９２と、筐体１０の外部に臨んで配置される各スイッチ３２、３３の押圧操作に伴い所定の制御信号を制御回路９１へ送信して動作状況の切り替えを行う動作切り替え部９３と、電源となる電池を収容する電池収容部５１と、イジェクト部材７０が備える支持部７２に設置された光路ブロック１１０とが収容および保持されている。
【００３６】
ディスプレイパネル９２には、例えば、カラー画像を表示可能な液晶ディスプレイパネルやプラズマディスプレイパネル等の公知のものを使用することができる。
【００３７】
筐体１０の先端部には、開口部１１が形成されている。この開口部１１には、キャップ部材８０が着脱される支持ブロック１３０が設置されている。支持ブロック１３０には、筐体１０の外部に配置される嵌合部１３１と、後述する円筒部１４０が取り付けられる接続孔１３２とが設けられている（図５、図６を参照）。
【００３８】
支持部ブロック３０の嵌合部１３１は、筐体１０の外面との間に所定の段差を形成するような形状付けがなされている。図８（Ａ）、図８（Ｂ）に示すように、キャップ部材８０の基端部に形成された開口部８１を支持ブロック１３０の嵌合部１３１に対して嵌めこむことにより、キャップ部材８０を筐体１０に対して取り付けることが可能になっている。また、キャップ部材８０を筐体１０から遠ざける（離反させる）操作を行うことにより、筐体１０に対する嵌合を解除してキャップ部材８０を取り外すことが可能になっている。
【００３９】
図４（Ａ）、図９（Ａ）に示すように、支持ブロック１３０に取り付けられた円筒部１４０には、採取具６０が着脱される先端開口部１４１と、先端開口部１４１に連通する所定の貫通孔１４２とが形成されている。採取具６０が備える固定筒部６４は、円筒部１４０の貫通孔１４２に嵌合するように構成されている（図９（Ａ）を参照）。そして、採取具６０を円筒部１４０に対して嵌合させることにより、円筒部１４０を介して、筐体１０に採取具６０を装着させることが可能になっている。つまり、円筒部１４０は、筐体１０に採取具６０を装着させるための採取具装着部としての機能を有している。なお、円筒部１４０からの採取具６０の取り外しは、後述するように、イジェクト部材７０を操作して行われる（図９（Ｂ）を参照）。
【００４０】
図７、図９（Ａ）に示すように、円筒部１４０には、イジェクト部材７０に弾性力を付与する弾性部材１４４を保持するための保持部１４３が設けられている。この保持部１４３は、例えば、弾性部材１４４の伸縮方向に延在する突起などによって構成することができる。
【００４１】
図４（Ａ）に示すように、イジェクト部材７０が備える支持部７２には、所定の光路１１２、１１３を形成する光路ブロック１１０が設置されている。
【００４２】
光路ブロック１１０には、血糖値の計測を行う際に採取具６０に装着された試験紙６８へ向けて所定の波長の測定光を出射する第１と第２の発光素子１２１、１２２、および試験紙６８によって反射された反射光を受光する受光素子１２３が実装された光学系基板１２０が設置されている。この光学系基板１２０は、光路ブロック１１０の基端部側の所定の位置において保持されている。また、光学系基板１２０は、所定のリード線１２４を介して制御回路９１と電気的に接続されている。
【００４３】
ここで、血糖値測定装置１００においては、血糖値の測定方法として、採取具６０が備える試験紙６８が血液と接触した際に生じる呈色反応に基づいて血糖値の測定を行う比色法を採用している。具体的には、採取具６０が備える試験紙６８に血液を保持させた状態で試験紙６８に対して測定光を出射し、試験紙６８に保持された血液によって反射された反射光を検知して、その反射光の強度や波長等に基づいて呈色の強度（度合い）を検出して、その検出結果に基づいて血糖値を測定している。
【００４４】
測定に用いられる第１の発光素子１２１と第２の発光素子１２２は、異なる波長の測定光を出射する。各発光素子１２１、１２２としては、例えば、所定波長の光を発光する発光ダイオード（ＬＥＤ）を適用することができる。反射光を検出する受光素子１２３としては、例えば、フォトダイオード（ＰＤ）を適用することができる。
【００４５】
血糖値測定装置１００による血糖値の測定では、第１の発光素子１２１と第２の発光素子１２２から交互に測定光が出射される。第１の発光素子１２１が照射する測定光によって発色試薬とブドウ糖との反応で生じた色素を検出し、ブドウ糖の量に応じた呈色濃度を測定する。また、第２の発光素子１２２が照射する測定光によって赤血球を検出し、赤血球の赤色濃度を測定する。そして、呈色濃度から得られるグルコース値を赤色濃度から得られるヘマトクリット値を用いて補正し、血糖値を求めることが可能になっている。
【００４６】
図４（Ｂ）には、図４（Ａ）に示す４Ｂ−４Ｂ線に沿う光路ブロック１１０の断面図が示される。光路ブロック１１０には、測定光用の光路１１２と反射光用の光路１１３が形成されている。各光路１１２、１１３の間には、測定光と反射光が混在することを防止するための隔壁１１１が設けられている。
【００４７】
血糖値測定装置１００の動作制御を行う制御回路９１には、プリントによって所定の配線回路が形成されている。また、所定の処理を実行するためのマイクロコンピュータ、所定のプログラムが記憶されたＲＯＭやＲＡＭ等の記憶装置、及びその他の電子部品（能動素子、受動素子等）が実装されている。各発光素子１２１、１２２は、この制御回路９１からの発光指示（制御信号）に基づき測定光を出射する。受光素子１２３は、試験紙６８に保持された血液によって反射された反射光を受光し、制御回路９１に対し検出信号を送信する。制御回路９１に設けられているマイクロコンピュータは、この検出信号を受けて所定の処理を実施した後、血糖値を算出し、ディスプレイに測定結果を表示する。なお、上記の一連の動作および処理は、例えば、血糖値測定装置１００に設けられた操作スイッチ３３を使用者が押圧することにより開始される。ただし、公知の無線通信手段等により、外部装置からの指示で自動で開始されるように構成されていてもよい。
【００４８】
次に、採取具の構成について説明する。
【００４９】
図７（Ｂ）、図９（Ａ）に示すように、採取具６０は、円板状に形成されたベース部６１と、このベース部６１の一方の面に形成されたノズル部６２と、ベース部６１の他方の面に形成された固定筒部６４と、を有している。
【００５０】
ノズル部６２は、ベース部６１の中央に立設されており、その中心部には軸方向へ貫通する採取孔６３が設けられている。ノズル部６２の先端部は先細り形状に形成されている。なお、ノズル部６２の先端面には、血液を吸引し易くするための溝等を適宜設けることができる。
【００５１】
採取具６０の固定筒部６４は、筐体１０に設置された円筒部１４０の貫通孔１４２に嵌まり合うことが可能な大きさで形成されている。また、採取具６０の固定筒部６４の先端部には、弾性片からなる複数の係合爪６５が形成されている。各係合爪６５には、円筒部１４０に対する固定筒部６４の嵌合力を向上させるための突条部６６が形成されている。
【００５２】
図９（Ａ）に示すように、採取具６０の固定筒部６４の内側には、採取孔６３に連通された試験紙収納部６７が設けられている。この試験紙収納部６７には、血液を採取して所定量の血液を保持する試験紙６８が収納されている。
【００５３】
血糖値測定装置１００を使用して測定を行うにあたり、採取具６０が筐体１０に対して取り付けられる。そして、採取具６０のノズル部６２を介して試験紙収納部６７に収納された試験紙６８に血液を保持させると、血液中のブドウ糖と試験紙６８に担持されている試薬とが反応を開始し、ブドウ糖の量に応じて呈色する。呈色反応が生じた後、試験紙６８に保持された血液に対して光路ブロック側から測定光を照射することにより、呈色した試験紙６８の色を測定（測色）することができる。
【００５４】
次に、イジェクト部材の構成について説明する。
【００５５】
図７（Ｂ）に示すように、イジェクト部材７０は、筐体１０の第２ケース部材４０に形成された溝部４１内に収容されるイジェクト操作部７１と、光路ブロック１１０が配置される支持部７２と、支持部７２の先端側に配置された押し出し部７３と、を有している。
【００５６】
イジェクト操作部７１は、先端部側の厚みが基端部側よりも大きく形成された板状の部材によって構成されている。また、イジェクト操作部７１において筐体１０の外部に配置される表面部分には、当該イジェクト操作部７１を操作する際に手指の感覚でイジェクト操作部７１の位置を容易に把握することができるようにするための突条部７５が形成されている（図５を参照）。
【００５７】
支持部７２は、イジェクト操作部７１とは別の部材によって構成されており、ネジ等の所定の固定部材７４によってイジェクト操作部７１に対して固定されている。押し出し部７３は、周方向の一部が切り欠かれた略円筒状の部材によって構成されている。
【００５８】
図７（Ａ）に示すように、イジェクト操作部７１は、イジェクト部材７０が筐体１０に取り付けられた状態において、第２ケース部材４０に形成された溝部４１の一端４１ａとの間に隙間ｇを形成して配置される。また、イジェクト操作部７１は、筐体１０の外面の一部をなす底面２５から突出することのないように溝部２５内に設置される。イジェクト部材７０に組み付けられたイジェクト操作部７１を筐体１０の外部においてスライド移動させると（図９（Ｂ）を参照）、イジェクト部材７０の各部が一体的にスライド移動する。
【００５９】
イジェクト部材７０は、筐体１０の内部に設置された弾性部材１４４により、溝部４１の一端４１ａ側に向かう方向に弾性力が付与された状態で筐体１０に組み付けられている。このため、弾性部材１４４の弾性力に抗してイジェクト操作部７１を溝部４１の他端４１ｂ側（先端側）へ向けてスライド移動させた後、イジェクト操作部７１に対する操作力を弱めると、弾性部材１４４の弾性力によってイジェクト操作部７１は溝部４１の一端４１ａ側（基端側）に押し戻される。つまり、イジェクト操作部７１は、外部から操作されていない状態では初期位置Ｐ１に留まり（図９（Ａ）を参照）、外部から溝部４１の他端４１ｂ側へ向かう方向の力が付与された際に前進限位置Ｐ２まで移動し（図９（Ｂ）を参照）、操作が解除されると、初期位置Ｐ１まで自動的に移動するように構成されている。なお、図７（Ａ）に示すように、イジェクト部材７０が先端側へ向けてスライド移動した際に、イジェクト部材７０の各部と筐体１０とが干渉しないように、イジェクト操作部７１と支持部７２との間には所定のクリアランスＣが適宜設けられる。
【００６０】
イジェクト部材７０に弾性力を付与する弾性部材１４４としては、例えば、スプリングや板バネ等を使用することが可能である。
【００６１】
次に、イジェクト操作部を操作して筐体からキャップを離脱させる手順を説明する。
【００６２】
図８（Ａ）には、筐体１０の支持ブロック１３０にキャップ部材８０が装着された状態が図示されている。筐体１０にキャップ部材８０を装着させる作業は、キャップ部材８０に形成された開口部８１の内周面を、筐体１０に設置された支持ブロック１３０の外面に嵌合させることにより行われる。
【００６３】
筐体１０にキャップ部材８０が装着された状態においては、イジェクト部材７０のイジェクト操作部７１は、溝部４１の一端４１ａから所定の距離だけ離隔した位置、すなわち初期位置Ｐ１に配置される。このため、イジェクト操作部７１に手指を掛ける際に、手指の感覚で溝部４１の一端４１ａを確認することにより、イジェクト操作部７１の位置や、イジェクト操作部７１をスライド移動させる方向を容易に把握することができる。
【００６４】
図８（Ｂ）に示すように、キャップ部材８０を離脱させる作業を行う際に筐体１０の外部でイジェクト操作部７１を前進限位置Ｐ２に向けてスライド移動させる。このスライド移動に伴い、イジェクト操作部７１の先端部７１ａがキャップ部材８０の基端部に当接する。さらに前進限位置Ｐ２へ向けてイジェクト操作部７１を移動させると、イジェクト操作部７１の先端部によってキャップ部材８０が押し出され、筐体１０から離脱する（図５を参照）。
【００６５】
このように、イジェクト操作部７１をスライド移動させる簡単な操作によってキャップ部材８０の取り外しを行うことができる。さらに、イジェクト操作部７１をスライド移動させる際に、溝部４１の一端４１ａに手指を掛けながら操作を行うことができるため、スライド移動をより一層容易に行うことができる。
【００６６】
次に、イジェクト操作部を操作して筐体から採取具を離脱させる手順を説明する。
【００６７】
図６に示すように、血糖値測定装置１００を使用した測定を行うにあたり、採取具６０を筐体１０に装着させる。なお、採取具６０を装着させる前に、前述したように筐体１０からキャップ部材８０を取り外す作業が行われる。
【００６８】
図９（Ａ）には、筐体１０の円筒部１４０に採取具６０が装着された状態が図示されている。筐体１０の円筒部１４０に採取具６０を装着させる作業は、採取具６０の固定筒部６４を円筒部１４０の貫通孔１４２に嵌合させることにより行われる。
【００６９】
血糖値測定装置１００を使用した測定を実際に行う場合には、採取具６０を使用して測定対象者の血液を採取する作業が行われる。具体的には、指先を所定の穿刺器具で穿刺し、皮膚上に少量（例えば、０．３〜１．５μＬ程度）の血液を流出させる。そして、指先から流出した血液に、血糖値測定装置１００の先端に装着されている採取具６０のノズル部６２の先端を接触させる。これにより、血液は、ノズル部６２から採取孔６３内に取り込まれ、毛細管現象によって吸引される。血液が試験紙収容部６７内に収容されている試験紙６８に染み込み、試験紙６８の径方向外側へ向かって徐々に広がっていく。この血液の展開と同時に、血液中のブドウ糖と試験紙６８に含まれている発色試薬とが反応を開始し、ブドウ糖の量に応じて試験紙６８が呈色する。そして、この試験紙６８に向けて測定光を照射して測定が行われる。測定結果は、ディスプレイパネル９２に表示される。
【００７０】
上記の測定が終了した後、採取具６０を筐体１０から離脱させる作業が行われる。
【００７１】
図９（Ａ）に示すように、筐体１０に採取具６０が装着された状態においては、イジェクト部材７０のイジェクト操作部７１は、溝部４１の一端４１ａから所定の距離だけ離隔した初期位置Ｐ１に配置される。このため、キャップ部材８０を取り外す作業を行う場合と同様に、イジェクト操作部７１に手指を掛ける際に、手指の感覚で溝部４１の一端４１ａを確認することにより、イジェクト操作部７１の位置や、イジェクト操作部７１をスライド移動させる方向を容易に把握することができる。
【００７２】
図９（Ｂ）に示すように、キャップ部材８０を離脱させる作業を行う際は、筐体１０の外部でイジェクト操作部７１を前進限位置Ｐ２へ向けてスライド移動させる。このスライド移動に伴い、イジェクト操作部７１に一体的に設けられた押し出し部７３が採取具６０の固定筒部６４に当接する。さらに前進限位置Ｐ２へ向けてイジェクト操作部７１を移動させると、押し出し部７３によって採取具６０が押し出され、筐体１０から離脱する。
【００７３】
筐体１０からキャップ部材８０を離脱させる作業を行う場合と同様に、イジェクト操作部７１をスライド移動させる簡単な操作によって採取具６０の取り外しを行うことができる。さらに、イジェクト操作部７１をスライド移動させる際に、溝部４１の一端４１ａに手指を掛けながら操作を行うことができるため、スライド移動をより一層容易に行うことができる。
【００７４】
以上のように、本実形態に係る血糖値測定装置１００によれば、イジェクト部材７０をスライド移動させるためのイジェクト操作部７１が筐体１０の外面に形成された凹状の溝部４１内に収容されているため、筐体１０の外面にイジェクト操作部７１が突出して設置されない。このため、イジェクト操作部７１に手指等が誤って触れてしまうことに起因する誤操作の発生を未然に防止することが可能になる。また、イジェクト操作部７１が凹状の溝部４１内において当該溝部４１の一端４１ａと隙間ｇを隔てて配置されているため、この溝部４１の一端４１ａに手指を掛けることができる。このため、採取具６０を離脱させる操作を行う際に指先の感覚でイジェクト操作部７１の位置を容易に把握することが可能になるとともに、筐体１０に手指を掛けながら離脱させる操作を行うことが可能になるため、使用時の操作性が向上する。
【００７５】
また、筐体１０の外面において窓部３１が設けられた上面２３と相対する底面２５に溝部４１が配置されているため、操作性の向上を図りつつ、窓部３１の面積を大きく確保することができる。これに加えて、窓部３１が設けられた上面２３側から筐体１０を把持する際に手指がイジェクト操作部７１に誤って触れてしまうことを好適に防止することができるため、より一層使い勝手のよい成分測定装置を提供することが可能になる。
【００７６】
また、筐体１０に着脱可能に装着されるとともに、イジェクト部材７０のスライド移動に伴い筐体から離脱されるキャップ部材８０を有するように構成されているため、採取具６０を離脱させるための機構およびキャップ部材８０を取り外すための機構としてイジェクト部材７０を共用化して使用することができ、部品点数の削減とともに装置の製造コストの削減を図ることができる。
【００７７】
以上のように実施形態を通じて本発明に係る成分測定装置を説明したが、本発明に係る成分測定装置は実施形態において説明した構成のみに限定されるものではなく、特許請求の範囲の記載に基づいて種々改変することが可能である。
【００７８】
例えば、筐体１０の外形形状は、図示した形状のみに限定されることはなく、イジェクト操作部７１が収容される凹状の溝部４１が設けられている限りにおいて変更することが可能である。キャップ部材８０の外形形状も図示した形状に限定されず、適宜変更することが可能である。キャップ部材８０の使用を前提とした装置構成とせずに、その使用を省略することも可能である。
【００７９】
また、例えば、筐体１０の内部に保持される各種の構成部材の種類や配置等は、測定対象となる成分を測定し得るように構成されている限りにおいて変更することができる。例えば、成分測定装置は、血糖値を計測するための血糖値測定装置１００以外の装置として構成することも可能であるが、この場合、装置各部の構成は、測定対象となる体液の成分を測定可能な限りにおいて適宜変更される。
【００８０】
また、例えば、イジェクト部材７０は、スライド移動に伴って採取具６０を離脱させることが可能な限りにおいてその構成を変更することができ、実施形態において説明したような形状や構造等に限定されることはない。
【００８１】
また、例えば、窓部３１が設けられる位置との関係で溝部４１を底面２５に形成した実施形態を説明したが、溝部４１を底面２５以外の部位に形成することも可能である。
【符号の説明】
【００８２】
１０    筐体、
２３    上面(一の面)、
２５    底面（他の面）、
３０    第１ケース部材、
３１    窓部、
４０    第２ケース部材、
４１    凹状の溝部、
４１ａ    溝部の一端
４１ｂ    溝部の他端、
４６    リブ、
６０    採取具、
７０    イジェクト部材、
７１    イジェクト操作部、
８０    キャップ部材、
１００    血糖値測定装置（成分測定装置）、
１４０    円筒部（採取具装着部）、
ｇ    隙間、
Ｐ１    初期位置、
Ｐ２    前進限位置。
【図１】
2015064276.tif 000003
【図２】
2015064276.tif 000004
【図３】
2015064276.tif 000005
【図４】
2015064276.tif 000006
【図５】
2015064276.tif 000007
【図６】
2015064276.tif 000008
【図７】
2015064276.tif 000009
【図８】
2015064276.tif 000010
【図９】
2015064276.tif 000011